(57)【要約】誤りを含むフレームを処理するための装置および方法。誤りを含むフレームは、百分率を決定することができるか否かを確認するために分析される（４０４）。百分率を決定できる場合には（４０６）、百分率を識別するためのステップが実行される（４０８）。百分率が識別された後で、本発明の方法は、信号がフレーム内に存在するか否かを判断するために（無線構成に従って）ＭＭ／ＴＴ／ＴＭビットまたはＭＭ／ＦＭビットをチェックすることにより、誤りを含むフレームを走査する（４１２，４２６，４３０，４３４）。走査により潜在的信号情報を発見した場合には、ＢＴＳは、その信号がフレーム内に存在し、外部ＣＲＣが失敗したフレーム率をトランスコーダに知らせる（４１６）。トランスコーダは、内部ＣＲＣに基づいて信号情報を回復し、ベアラ情報を破棄しようとする。信号メッセージが複数のフレームにまたがっている場合には、信号メッセージを再アセンブルする際の混乱を避けるために全フレームが破棄される（４１８）。また、内部ＣＲＣが失敗した場合にも、全フレームが破棄される。
2006505968.tif 000002
【特許請求の範囲】
【請求項１】
誤りを含むフレームを処理するための方法であって、
誤りを含むフレームを受信したことを検出するステップと、
前記誤りを含むフレームの百分率を決定するステップと、
前記誤りを含むフレームの無線構成を決定するステップと、
前記フレームの無線構成、前記フレームの百分率および前記フレーム内の所定のビットを使用して、信号情報が前記誤りを含むフレーム内に存在するか否かを判断するステップと、
前記誤りを含むフレーム内に信号情報が存在する場合に、前記百分率、前記フレーム内に信号が存在した旨、及びフレーム巡回冗長検査が失敗した旨を報告するステップとを備える方法。
【請求項２】
前記誤りを含むフレームの百分率を決定する前記ステップは、
前記フレームが百分率が決定できないほど多くの誤りを含んでいるか否かを判断するステップと、
前記百分率が、前記百分率を決定できないほどには誤りを含んでいない場合に、前記フレームのサブレート・システム誤り率を１００％に正規化するステップと、
前記誤りを含むフレームの百分率が、最も低い正規化したサブレート・システム誤り率に等しいと判断するステップとを備える、請求項１に記載の方法。
【請求項３】
信号情報が前記誤りを含むフレーム内に存在するか否かを決定する前記ステップは、前記無線構成が無線構成１および無線構成３のうちの１つであるか否かを判断するステップを含む、請求項２に記載の方法。
【請求項４】
信号情報が前記誤りを含むフレーム内に存在するか否かを決定するステップは、
前記誤りを含むフレームの百分率が１００％であるか否かを決定するステップと、
前記誤りを含むフレームの百分率が１００％である場合に、前記所定のビットが、１０００、１００１、１０１０および１０１１のうちの１つと等しいか否かを決定するステップと、
前記所定のビットが、１０００、１００１、１０１０および１０１１のうちの１つと等しい場合に、前記フレーム内に信号情報が存在すると判断するステップとをさらに備える、請求項３に記載の方法。
【請求項５】
前記誤りを含むフレームの百分率が１００％でない場合に、
信号が前記誤りを含むフレーム内に存在しないと判断するステップと、
前記百分率を消去であると報告するステップとを備える、請求項４に記載の方法。
【請求項６】
前記所定のビットが、１０００、１００１、１０１０および１０１１のうちの１つと等しくなく、前記方法は、
信号が前記誤りを含むフレーム内に存在しないと判断するステップと、
前記百分率が消去を示すことを報告するステップとを備える、請求項４に記載の方法。
【請求項７】
信号情報が前記誤りを含むフレーム内に存在するか否かを判断する前記ステップは、前記無線構成が無線構成２または無線構成４であるか否かを判断するステップを含む、請求項２に記載の方法。
【請求項８】
信号情報が前記誤りを含むフレーム内に存在するか否かを判断する前記ステップは、
前記誤りを含むフレームの百分率が１００％であるか否かを判断するステップと、
前記誤りを含むフレームの百分率が１００％である場合に、前記所定のビットが、１０
０００、１０００１、１００１０、１００１１および１１０００のうちの１つと等しいか否かを判断するステップと、
前記所定のビットが、１００００、１０００１、１００１０、１００１１および１１０００のうちの１つと等しい場合に、信号情報が前記フレーム内に存在するか否かを判断するステップとをさらに備える、請求項７に記載の方法。
【請求項９】
信号情報が前記誤りを含むフレーム内に存在するか否かを判断するステップは、
前記誤りを含むフレームの百分率が５０％であるか否かを判断するステップと、
前記誤りを含むフレームの百分率が５０％である場合に、前記所定のビットが１０００、１００１、１０１０および１１１０のうちの１つと等しいか否かを判断するステップと、
前記所定のビットが１０００、１００１、１０１０および１１１０のうちの１つと等しい場合に、信号情報が前記フレーム内に存在するか否かを判断するステップとをさらに備える、請求項７に記載の方法。
【請求項１０】
信号情報が前記誤りを含むフレーム内に存在するか否かを判断する前記ステップは、
前記誤りを含むフレームの百分率が２５％であるか否かを判断するステップと、
前記誤りを含むフレームの百分率が２５％である場合に、前記所定のビットが１００および１０１のうちの１つと等しいか否かを判断するステップと、
前記所定のビットが１００および１０１のうちの１つと等しい場合に、信号情報が前記フレーム内に存在するか否かを判断するステップとをさらに備える、請求項７に記載の方法。
【請求項１１】
誤りを含むフレームを処理するための方法であって、
誤りを含むフレームを受信したことを検出するステップと、
前記誤りを含むフレームの百分率を決定するステップと、
前記誤りを含むフレームの無線構成を決定するステップと、
前記フレームの無線構成、前記フレームの百分率および前記フレーム内の所定のビットを使用して、信号情報が前記誤りを含むフレーム内に存在するか否かを判断するステップと、
信号情報が前記誤りを含むフレーム内に存在する場合に、前記信号情報が、１つのフレームに含まれているか否かを判断するステップと、
前記信号情報が１つのフレームに含まれている場合に、前記百分率、前記フレーム内に信号が存在する旨、及びフレーム巡回冗長検査が失敗した旨を報告するステップとを備える方法。
【請求項１２】
前記信号情報が１つのフレームに含まれていない場合に、前記百分率を消去として報告する、請求項１１に記載の方法。
【請求項１３】
前記誤りを含むフレームの百分率を決定する前記ステップは、
前記フレームが百分率が決定できないほど多くの誤りを含んでいるか否かを判断するステップと、
前記百分率が、前記百分率を決定できないほど多くの誤りを含んでいない場合に、前記フレームのサブレート・システム誤り率を１００％に正規化するステップと、
前記誤りを含むフレームの百分率が、最も低い正規化したサブレート・システムの誤り率に等しいと判断するステップとを備える、請求項１１に記載の方法。
【請求項１４】
信号情報が前記誤りを含むフレーム内に存在するか否かを判断する前記ステップは、
前記無線構成が無線構成１および無線構成３のうちの１つであるか否かを判断するステップと、
前記無線構成が無線構成１および無線構成３のうちの１つである場合に、前記誤りを含むフレームの百分率が１００％であるか否かを判断するステップと、前記誤りを含むフレームの百分率が１００％である場合に、前記所定のビットが、１０００、１００１、１０１０および１０１１のうちの１つと等しいか否かを判断するステップと、前記所定のビットが、１０００、１００１、１０１０および１０１１のうちの１つと等しい場合に、信号情報が前記フレーム内にあると判断するステップとを備える、請求項１１に記載の方法。
【請求項１５】
信号情報が前記誤りを含むフレーム内に存在するか否かを判断する前記ステップは、
前記無線構成が無線構成２および無線構成４のうちの１つであるか否かを判断するステップと、
前記無線構成が無線構成２および無線構成４のうちの１つである場合に、前記誤りを含むフレームの百分率が１００％であるか否かを判断するステップと、前記誤りを含むフレームの百分率が１００％である場合に、前記所定のビットが、１００００、１０００１、１００１０、１００１１および１１０００のうちの１つと等しいか否かを判断するステップと、
前記所定のビットが、１００００、１０００１、１００１０、１００１１および１１０００のうちの１つと等しい場合に、信号情報が前記フレーム内にあると判断するステップとを備える、請求項１１に記載の方法。
【請求項１６】
信号情報が前記誤りを含むフレーム内に存在するか否かを判断する前記ステップは、
前記無線構成が無線構成２および無線構成４のうちの１つであるか否かを判断するステップと、
前記無線構成が無線構成２および無線構成４のうちの１つである場合に、前記誤りを含むフレームの百分率が５０％であるか否かを判断するステップと、前記誤りを含むフレームの百分率が５０％である場合に、前記所定のビットが、１０００、１００１、１０１０、および１１１０のうちの１つと等しいか否かを判断するステップと、
前記所定のビットが、１０００、１００１、１０１０、および１１１０のうちの１つと等しい場合に、信号情報が前記フレーム内にあると判断するステップとをさらに備える、請求項１１に記載の方法。
【請求項１７】
信号情報が前記誤りを含むフレーム内に存在するか否かを判断する前記ステップは、
前記無線構成が無線構成２および無線構成４のうちの１つであるか否かを判断するステップと、
前記無線構成が無線構成２および無線構成４のうちの１つである場合に、前記誤りを含むフレームの百分率が２５％であるか否かを判断するステップと、
前記誤りを含むフレームの百分率が２５％である場合に、前記所定のビットが、１００および１０１のうちの１つと等しいか否かを判断するステップと、
前記所定のビットが、１００および１０１のうちの１つと等しい場合に、信号情報が前記フレーム内にあると判断するステップとをさらに備える、請求項１１に記載の方法。
【請求項１８】
誤りを含むフレームを処理するための方法であって、
誤りを含むフレームの百分率を受信するステップと、
信号が前記誤りを含むフレーム内に存在するという通知を受信するステップと、
トラヒック巡回冗長検査が失敗したという通知を受信するステップと、
内部巡回冗長検査を行うステップと、
前記内部巡回冗長検査がＯＫであった場合に、前記フレームの信号内容を回復するステップと、
前記フレームのベアラ・トラヒック内容を破棄するステップとを備える方法。
【請求項１９】
マイクロプロセッサにロードされた場合、前記マイクロプロセッサに下記のステップを
実行させる、その上に一組の命令を記憶している記憶媒体であって、
誤りを含むフレームを受信したことを検出するステップと、
前記誤りを含むフレームの百分率を決定するステップと、
前記誤りを含むフレームの無線構成を判断するステップと、
前記フレームの無線構成、前記フレームの百分率および前記フレーム内の所定のビットを使用して、信号情報が前記誤りを含むフレーム内に存在するか否かを判断するステップと、
前記誤りを含むフレーム内に信号情報が存在する場合に、前記フレーム内に信号が存在し、フレーム巡回冗長検査が失敗した百分率を報告するステップとを備える記憶媒体。
【発明の詳細な説明】
【技術分野】
【０００１】
（発明の分野）
本発明は通信システム一般に関する。より詳細には、誤りを含むフレームを処理するための装置および方法に関する。
【背景技術】
【０００２】
（関連出願への参照）
本出願は、共通所有で、参照により全体を本明細書に組み込むものとする２００２年４月１１日出願の「誤りを含むフレームを処理するための装置および方法」（ＡＰＰＡＲＡＴＵＳ  ＡＮＤ  ＭＥＴＨＯＤ  ＦＯＲ  ＰＲＯＣＥＳＳＩＮＧ  Ａ  ＣＯＲＲＵＰＴＥＤ  ＦＲＡＭＥ）という名称の仮出願番号６０／３７１，８５０の優先権を主張する。
【０００３】
現在、データ・フレームを移動局（ＭＳ）と基地トランシーバ局（ＢＴＳ）との間で送信する場合、ＢＴＳで稼働している速度決定アルゴリズムが、フレーム速度およびフレームが使用できるか、誤りを含んでいるかを決定する。速度決定アルゴリズムは、トラヒック・フレーム巡回冗長検査（ＣＲＣ）（外部ＣＲＣとも呼ばれる）の結果、ＳＥＲ／全メトリックおよび品質ビットに依存している。フレーム自身の実際のペイロードは、速度決定プロセスの際には考慮されない。すべての信号メッセージは、使用する外部ＣＲＣ（通常、１２、１０および８ビット）より強力なＣＲＣである１６ビットのＣＲＣ値（内部ＣＲＣ）を含む。現在、内部ＣＲＣは、フレームが誤りを含んでいるか否かを判断する場合には考慮されない。基本チャネルを通して送信される場合、信号メッセージは、通常、ディム（ｄｉｍ）およびバースト（一部が音声であり、一部が信号である）の形をしている。その１６ビットＣＲＣを含む信号メッセージは、通常、反対方向のリンク上のフレームの小さな部分である。速度決定アルゴリズムに消去を含んでいることを宣言させるビット誤りがメッセージの信号部分に含まれていない場合には、フレームの信号部分は、他の方法で消去されたフレームから回復することができる。しかし、現在、フレームの非信号部分でビット誤りを検出した場合には、全フレームが廃棄される。
【０００４】
図１は、専用制御チャネル／基本チャネル（ＤＣＣＨ／ＦＣＨ）を通して送信されるフレーム１００のフォーマットを示す。ＴＩＡ／ＥＩＡ／ＩＳ２０００．２−Ａが規定しているように、フレームは、混合モード／フレーム・モード（ＭＭ／ＦＭ）ビット、または混合モード／トラヒック・タイプ／トラヒック・モード（ＭＭ／ＴＴ／ＴＭ）ビット、ベアラ・ビット、信号ビット、外部ＣＲＣおよび終わりビットからなる。信号ビットは、メッセージ開始（ＳＯＭ）ビット、メッセージ長さ、メッセージ本体および内部ＣＲＣを含む信号メッセージからなる。現在のシステムの場合、ＢＴＳで稼働している速度決定アルゴリズムは、フレームが消去されているか否かを判断するために、外部ＣＲＣをチェックする。外部ＣＲＣが誤りを含むフレーム（ｃｏｒｒｕｐｔｅｄ  ｆｒａｍｅ）を表示している場合には、全フレームが消去される。図１に示すように、フレームの信号メッセージ部分がビット誤りを含んでいない場合でも、信号メッセージは外部ＣＲＣチェックに基づいて消去される。信号情報のこの喪失が起こると、再送信の増大およびハンドオフの成功の低減による呼設定時間が長くなるためにシステムの性能が低下する場合がある。
【発明を実施するための最良の形態】
【０００５】
それ故、誤りを含むフレームを処理するための改良形装置および方法の開発が待望されている。
図２について説明すると、この図は、本発明の好適な実施形態を実施することができる通信システムの概略ブロック図である。システム２００においては、ＭＳ２０２が、ＤＣ
ＣＨまたはＦＣＨを通してフレームをＢＴＳ２０４に送信する。ＢＴＳにおいては、フレームが、当業者であれば周知のように、復調器により処理され、処理のためにデコーダに送られる。本発明によれば、デコーダは、信号情報を誤りを含むフレームから回復できる可能性があるか否かを判断する誤りを含むフレームを処理するための方法を実行する。潜在的信号情報が存在する場合には、デコーダは、誤りを含むフレームから信号情報を回復しようとして、トランスコーダ２１０に信号を送る。ＭＳ２０２、ＢＴＳ２０４およびトランスコーダ２１０の詳細については、本発明に特に関係がないのでこれ以上の説明は省略する。
【０００６】
本発明の方法は、回復の見込みのある信号メッセージを探して誤りを含むフレームを走査する。信号メッセージの回復に成功するか否かは、フレーム（ＭＭ／ＦＭまたはＭＭ／ＴＴ／ＴＭ）の最初の数個のビットが、信号メッセージ自身と共に誤りを含んでいない確率により決まる。図３について説明すると、この図は、ノイズを含むＲＦチャネルを通して送信したＤＣＣＨ／ＦＣＨフレームを示す。この図に示すように、起こりうるビット誤り（「Ｘ」で示す）が、フレームの一次ビット、信号ビットのゼロ充填部分、ＣＲＣおよび終わりビット内に存在する。フレーム内に「Ｘ」があると、外部ＣＲＣが失敗する。すでに説明したように、現在の速度決定方法の場合には、信号メッセージを含む全フレームは、外部ＣＲＣが失敗すると破棄される。本発明の方法の場合には、内部ＣＲＣがチェックされ、ＯＫである場合には（ビット誤りが発見されなかった場合には）、信号メッセージを回復することができる。外部ＣＲＣが失敗したので、ベアラ・ビットは破棄される。
【０００７】
本発明によれば、外部ＣＲＣが失敗したために、消去であると宣言されたフレーム（誤りを含むフレーム）は、誤りを含んでいる百分率を決定することができるか否かを確認するために分析される。上記百分率を決定することができる場合には、上記百分率を識別するためのステップが実行される。誤りを含んでいる百分率が識別された後で、本発明の方法は、信号がフレーム内に存在するか否かを判断するために、（無線構成により）ＭＭ／ＴＴ／ＴＭビットまたはＭＭ／ＦＭビットをチェックすることにより誤りを含むフレームを走査する。走査により可能な信号情報を発見した場合には、ＢＴＳ２０４は、そのことをトランスコーダ２１０に知らせる。１つのフレームは、膨大な数の信号メッセージを含んでいる。信号メッセージが複数のフレームにまたがっている場合には、好適な実施形態は、信号メッセージをトランスコーダ２１０のところで再アセンブルする際の混乱を避けるために全フレームを破棄する。ある場合には、ＢＴＳは、信号メッセージを間違って検出することがあり、そうすると再アセンブル中に混乱が起こる恐れがある。１つのフレームは膨大な数の信号メッセージを含む。それ故、好適な実施形態の場合には、本発明の方法は、時間的に１つのフレームより長い信号メッセージを回復しようとしない。そうするのは、本発明の方法の無用な混乱を避けるためである。
【０００８】
図４について説明すると、この図は、誤りを含むフレームを処理するための方法の好適な実施形態である。この方法は、ステップ４０２からスタートする。このステップ４０２において、ＢＴＳ２０４は、自分が誤りを含むフレームを受信したことを検出する。ステップ４０４において、この方法は、フレームが誤り率を決定することができないほど多くの誤りを含んでいるか否かを判断する。そうである場合には、この方法は、フレーム率を消去として報告し（全フレームを破棄すべきであると知らせる）（ステップ４１８）、この方法は終了する（ステップ４２０）。そうでない場合には、この方法は、誤りを含むフレームの百分率を決定する（ステップ４０６）。一実施形態の場合には、この方法は、誤り率を決定するために図５のステップを使用する。図５について説明すると、この方法は、最初にフレームのサブレート記号誤り率（ＳＥＲ）を１００％に正規化する（ステップ５０２）。次に、この方法は、誤りを含むフレームの百分率を最も低い正規化されたＳＥＲを含むものであると判断する（ステップ５０４）。他の実施形態の場合には、この方法は、図２に示す百分率決定のための方法、および本特許出願の出願人（モトローラ  イン
コーポレイテッド）の１９９９年３月２日付けの「通信システムにおける速度決定のための方法および装置という名称の米国特許第５，８７８，０９８号の対応する記述を実施することができる。上記米国特許は参照により本明細書に組み込むものとする。
【０００９】
再び図４に戻って説明すると、誤りを含むフレームの百分率を決定した後で、この方法は、フレームの無線構成が、無線構成１（ＲＣ１）であるのか無線構成３（ＲＣ３）であるのかを決定する（ステップ４０８）。無線構成が１または３である場合には、ステップ４１０において、この方法は、誤りを含むフレームの百分率（ステップ４０６において決定した）が１００％であるか否かを判断する。百分率が１００％である場合には、この方法は、ＭＭ／ＴＴ／ＴＭビットがビット・シーケンス１０００、１００１、１０１０または１０１１に等しいか否かを判断する。ＭＭ／ＴＴ／ＴＭビットが上記ビット・シーケンスのどれかと等しい場合には、誤りを含むフレーム内に潜在的信号情報が存在しているので、この方法はステップ４１４に進む。ステップ４１４において、この方法は、信号メッセージが１つのフレームに含まれているか否かを判断する。好適な実施形態の場合には、この方法は、メッセージ開始（ＳＯＭ）が「１」に等しいか否か、信号メッセージの長さがフレームの長さより短いか否かを判断する。そうである場合には、この方法は、フレームの百分率を、フレーム内に信号が存在し、外部ＣＲＣが失敗したことを示す１００％であると報告する（ステップ４１６）。次に、この方法はステップ４２０において終了する。
【００１０】
ステップ４１０に戻って説明すると、信号はＲＣ１およびＲＣ３に対する百分率フレーム内だけに存在するので、誤りを含むフレームの百分率が１００％でない場合には、この方法は、フレーム百分率が消去であると報告し（ステップ４１８）、終了する（ステップ４２０）。ステップ４１２に戻って説明すると、ＭＭ／ＴＴ／ＴＭが、フレーム内に信号が存在しないことを示す１０００、１００１、１０１０または１０１１に等しくない場合には、この方法は、フレーム率が消去であると報告し（ステップ４１８）、終了する（ステップ４２０）。ステップ４１４に戻って説明すると、信号メッセージが１つのフレーム内に含まれていない場合には、この方法は、フレーム率が消去であると報告し（ステップ４１８）、終了する（ステップ４２０）。
【００１１】
ステップ４０８に戻って説明すると、無線構成がＲＣ１またはＲＣ３でない場合には、ステップ４２２において、この方法は、無線構成がＲＣ２またはＲＣ４であると判断する。無線構成がＲＣ２でもＲＣ４でもない場合には、この方法は、フレーム率が消去であると報告し（ステップ４１８）、終了する（ステップ４２０）。無線構成がＲＣ２またはＲＣ４である場合には、この方法は、誤りを含むフレームの百分率が１００％であると判断する（ステップ４２４）。誤りを含むフレームの百分率が１００％である場合には、この方法は、ＭＭ／ＦＭビットがビット・シーケンス１００００、１０００１、１００１０、１００１１または１１０００のどれに等しいかを判断する。等しくない場合には、この方法はフレーム率が消去であると報告し（ステップ４１８）、終了する（ステップ４２０）。ＭＭ／ＦＭビットが上記ビット・シーケンスのうちのどれかと等しい場合には、誤りを含むフレーム内に潜在的信号情報が存在していて、この方法は、ステップ４１４に進む。ステップ４１４において、この方法は、信号メッセージが１つのフレームに含まれているか否かを判断する。そうである場合には、この方法は、フレームの百分率を、フレーム内に潜在的信号が存在し、外部ＣＲＣが失敗したことを示す１００％であると報告する（ステップ４１６）。次に、この方法はステップ４２０のところで終了する。
【００１２】
ステップ４２４に戻って説明すると、誤りを含むフレームの百分率が１００％でない場合には、この方法は、上記百分率が５０％であるか否かを判断する（ステップ４２８）。上記百分率が５０％である場合には、この方法は、ＭＭ／ＦＭビットがビット・シーケンス１０００、１００１、１０１０、または１１００に等しいか否かを判断する（ステップ
４３０）。ＭＭ／ＦＭビットが上記ビット・シーケンスのどれとも等しくない場合には、この方法はフレーム率が消去であると報告し（ステップ４１８）、終了する（ステップ４２０）。ＭＭ／ＦＭが上記ビット・シーケンスのうちのどれかと等しい場合には、誤りを含むフレーム内に信号情報が存在し、この方法はステップ４１４に進む。ステップ４１４において、この方法は、信号メッセージが１つのフレームに含まれているか否かを判断する。そうである場合には、この方法は、フレームの百分率を、フレーム内に信号が存在し、外部ＣＲＣが失敗したことを示す５０％であると報告する（ステップ４１６）。次に、この方法はステップ４２０で終了する。
【００１３】
ステップ４２８に戻って説明すると、誤りを含むフレームの百分率が５０％でない場合には、この方法は上記百分率が２５％であるか否かを判断する（ステップ４３２）。上記百分率が２５％でない場合には、この方法は上記百分率が消去であると報告し（ステップ４１８）、終了する（ステップ４２０）。上記百分率が２５％である場合には、この方法は、ＭＭ／ＦＭビットがビット・シーケンス１００または１０１に等しいか否かを判断する（ステップ４３４）。ＭＭ／ＦＭビットが上記ビット・シーケンスのどれとも等しくない場合には、この方法は、フレーム百分率が消去であると報告し（ステップ４１８）、終了する（ステップ４２０）。ＭＭ／ＦＭビットが上記ビット・シーケンスのどれかと等しい場合には、誤りを含むフレーム内に潜在的信号情報が存在していて、この方法はステップ４１４に進む。ステップ４１４において、この方法は信号メッセージが１つのフレームに含まれているか否かを判断する。そうである場合には、この方法は、フレームの百分率を、フレーム内に潜在的信号が存在し、外部ＣＲＣが失敗したことを示す２５％であると報告する（ステップ４１６）。次に、この方法はステップ４２０で終了する。
【００１４】
本発明の好適な実施形態によれば、図４のステップ４１６および４１８で報告された情報は、受信したフレームの処理方法を決定する際に、図２のトランスコーダ２１０により使用される。信号情報以外のフレームの一部にビット誤りがあるために、全フレームを消去として処理する代わりに（すなわち、全フレームを破棄する代わりに）、トランスコーダ２１０は、フレームの信号内容を回復し、一次または二次トラヒック情報を破棄し（外部ＣＲＣが失敗したので）、以降のフレーム送信のための電力を増大するようにＭＳ２０２に命令するために、ステップ４１６のところでこの情報を使用することができる。トランスコーダ２１０は、全フレームを破棄し、ＭＳに以降のフレーム送信用の電力を増大するように命令するために、ステップ４１８においてこの情報を使用する。この時点で、破棄した一次または二次トラヒック・フレームは、ボコーダにより消去として処理される。
【００１５】
好適には、本発明の方法は、ＢＴＳ２０４およびトランスコーダ２１０のメモリに記憶して、当業者であれば周知のコンピュータまたはマイクロプロセッサ上で実行することが好ましい。この方法を使用すれば、そうでない場合には消去される誤りを含むフレーム内の信号内容を潜在的に回復することができる。この方法は、１回の送信で、ＢＴＳに信号メッセージをうまく送信する確率を改善する。このような改善が行われると、再送信の回数が少なくてすみ、ハンドオフの成功率が改善され、呼のドロップが少なくなり、発信の成功率が向上するので、呼設定時間を短くすることができる。本発明を種々に修正しその形態を変更することができるが、図面に例示としての特定の実施形態を示し、本明細書においては詳細に説明した。しかし、本発明は、開示の特定の形に限定されないことを理解されたい。それどころか、本発明は、添付の特許請求の範囲が定義する本発明の精神および範囲に含まれるすべての修正、等価物および別の形態を含む。
【図面の簡単な説明】
【００１６】
【図１】周知の技術によるＤＣＣＨ／ＦＣＨフレーム・フォーマットの概念図。
【図２】本発明の好適な実施形態を実施することができる簡単な形の通信システムのブロック図。
【図３】ノイズを含むＲＦチャネルを通して送信されたＤＣＣＨ／ＦＣＨフレームの概念図。
【図４Ａ】本発明の方法の好適な実施形態のフローチャート。
【図４Ｂ】本発明の方法の好適な実施形態のフローチャート。
【図５】図４の方法による誤りを含むフレームを検出する一実施形態のフローチャート。
【図１】
2006505968.tif 000003
【図２】
2006505968.tif 000004
【図３】
2006505968.tif 000005
【図４Ａ】
2006505968.tif 000006
【図４Ｂ】
2006505968.tif 000007
【図５】
2006505968.tif 000008
【国際調査報告】
2006505968.tif 000009
2006505968.tif 000010